(57)【要約】【課題】ＡＥＤを収納するボックス内部の温度が過度に上昇することを防止し、屋外設置に適する屋外型ＡＥＤ収納ボックス装置を提供する。【解決手段】ＡＥＤを内部に収納する本体２００と、遮熱フィルムを貼付した窓部３２１を有し前記本体２００の各外側面に設けた外側パネル３００と、前記本体２００と前記外側パネル３００との間に設けた空気対流層３６０と、前記本体２００の一方の面側の空気対流層３６０から空気を前記本体２００の内部へ吸気して前記本体２００内部の空気を前記空気対流層３６０へ排気する吸排気手段と、前記ＡＥＤへ外気を直接吹き付ける送風手段とを有して、空気対流により温度上昇を防止する構成とする。【選択図】図６
2012005661.tif 000002
【特許請求の範囲】
【請求項１】
ＡＥＤを内部に収納する本体と、遮熱フィルムを貼付した窓部を有し前記本体の各外側面に設けた外側パネルと、前記本体と前記外側パネルとの間に設けた空気対流層と、前記本体の一方の面側の空気対流層から空気を前記本体の内部へ吸気して前記本体の内部の空気を前記一方の面と反対の面側の空気対流層へ排気する吸排気手段と、前記ＡＥＤへ外気を直接吹き付ける送風手段とを有することを特徴とする屋外型ＡＥＤ収納ボックス装置。
【請求項２】
前記送風手段が、前記本体の背面側の空気対流層から前記ＡＥＤの下方へ空気を導入し、導入した空気を前記ＡＥＤの正面側表面に吹き付けて、前記ＡＥＤの上方から前記本体の背面側の空気対流層へ空気を排気する手段を含み、前記吸排気手段が前記本体の下方において前記本体の背面側の空気対流層から前記本体の内部へ吸気して前記本体の内部の空気を前記本体の前面側の空気対流層の下方から上方に向けて排気する手段を含むことを特徴とする請求項１記載の屋外型ＡＥＤ収納ボックス装置。
【請求項３】
さらに、前記本体と前記外側パネルとの間から前記本体の内部に入った水を前記本体の外部へ排水する排水手段を有することを特徴とする請求項１又は請求項２記載の屋外型ＡＥＤ収納ボックス装置。
【請求項４】
前記本体が、内側へ折り返した開口部周縁を有し、前記開口部周縁にパッキンが貼り廻らしてあることを特徴とする請求項１から請求項３のいずれかに記載の屋外型ＡＥＤ収納ボックス装置。
【請求項５】
さらに、前記ＡＥＤの下面に保温手段を有することを特徴とする請求項１から請求項４のいずれかに記載の屋外型ＡＥＤ収納ボックス装置。
【発明の詳細な説明】
【技術分野】
【０００１】
本発明は、自動体外式除細動器（Automated External Defibrillator：以下、「ＡＥＤ」と称する。）を収納する屋外型ＡＥＤ収納ボックス装置に関する。
【背景技術】
【０００２】
近年、より多くの人命を救助するために、ＡＥＤの操作が一般人でも認められるようになり、操作を簡略化したＡＥＤが、駅構内や公共施設のロビー等に設置されるようになった。ＡＥＤは、通常、収納ボックス装置に収納されて設置されている（例えば、特許文献１参照）。
【先行技術文献】
【特許文献】
【０００３】
【特許文献１】実用新案登録第３１４９３１３号公報
【発明の概要】
【発明が解決しようとする課題】
【０００４】
ＡＥＤ収納ボックス装置は急速に普及しており、屋内だけでなく、屋外での設置も望まれるようになってきた。しかし、特許文献１記載のＡＥＤ収納ボックス装置等、従来のＡＥＤ収納ボックス装置では、一重の密閉されたボックスの中にＡＥＤが置かれているため、太陽光に曝されると放射熱やＡＥＤ窓からの直射日光によってボックス内部の温度が上昇し、内部に収納されているＡＥＤの品質劣化を生ずる恐れが高く、屋外での設置に適さないという問題があった。
【０００５】
そこで、本発明は、ＡＥＤを収納するボックス内部の温度が過度に上昇することを防止し、屋外設置に適する屋外型ＡＥＤ収納ボックス装置を提供することを目的とする。
【課題を解決するための手段】
【０００６】
本発明の第１の態様は、ＡＥＤを内部に収納する本体と、遮熱フィルムを貼付した窓部を有し前記本体の各外側面に設けた外側パネルと、前記本体と前記外側パネルとの間に設けた空気対流層と、前記本体の一方の面側の空気対流層から空気を前記本体の内部へ吸気して前記本体の内部の空気を前記一方の面と反対の面側の空気対流層へ排気する吸排気手段と、前記ＡＥＤへ外気を直接吹き付ける送風手段とを有することを特徴とする屋外型ＡＥＤ収納ボックス装置を提供する。前記吸排気手段及び送風手段として、例えばファンなどが挙げられる。
【０００７】
前記送風手段が、前記本体の背面側の空気対流層から前記ＡＥＤの下方へ空気を導入し、導入した空気を前記ＡＥＤの正面側表面に吹き付けて、前記ＡＥＤの上方から前記本体の背面側の空気対流層へ空気を排気する手段を含み、前記吸排気手段が前記本体の下方において前記本体の背面側の空気対流層から前記本体の内部へ吸気して前記本体の内部の空気を前記本体の前面側の空気対流層の下方から上方に向けて排気する手段を含むことが好ましい。排気を空気対流層の下方から上方に向けて行うことで対流を促すことができる。
【０００８】
さらに、前記本体と前記外側パネルとの間から前記本体の内部に入った水を前記本体の外部へ排水する排水手段を有することが好ましい。また、前記本体が、内側へ折り返した開口部周縁を有し、前記開口部周縁にパッキンが貼り廻らしてあることが好ましい。さらに、前記ＡＥＤの下面に保温手段を有することが好ましい。
【発明の効果】
【０００９】
本発明の屋外型ＡＥＤ収納ボックス装置によれば、ＡＥＤを収納するボックス内部の温度が過度に上昇することを防止し、屋外設置に適する。
【図面の簡単な説明】
【００１０】
【図１】本発明の実施例１の屋外型ＡＥＤ収納ボックス装置の正面図である。
【図２】本発明の実施例１の屋外型ＡＥＤ収納ボックス装置の上面図である。
【図３】本発明の実施例１の屋外型ＡＥＤ収納ボックス装置の右側面図である。
【図４】本発明の実施例１の屋外型ＡＥＤ収納ボックス装置の背面図である。
【図５】本発明の実施例１の屋外型ＡＥＤ収納ボックス装置の扉部を取り外した状態の正面図である。
【図６】本発明の実施例１の屋外型ＡＥＤ収納ボックス装置のＣＣ´線断面図である。
【図７】本発明の実施例１の屋外型ＡＥＤ収納ボックス装置のＢＢ´線断面図である。
【図８】本発明の実施例１の屋外型ＡＥＤ収納ボックス装置のＡＡ´線断面図である。
【図９】本発明の実施例１の屋外型ＡＥＤ収納ボックス装置のＣＣ´線断面におけるダクト部分拡大図である。
【図１０】温度測定部位を示す概略図である。
【図１１】本発明の実施例と比較例の各部における温度測定結果を示す図である。
【図１２】本発明の実施例と比較例のＡＥＤ正面部分の温度測定結果を示す図である。
【図１３】本発明の実施例と比較例の屋外型ＡＥＤ収納ボックス装置外側の温度測定結果を示す図である。
【発明を実施するための形態】
【００１１】
以下、本発明の屋外型ＡＥＤ収納ボックス装置の一実施形態について、実施例を用いて具体的に説明するが、本発明はこれらに限定されるものではない。
【００１２】
｛構成｝
図１は、本発明の実施例１の屋外型ＡＥＤ収納ボックス装置の正面図である。本発明の実施例１の屋外型ＡＥＤ収納ボックス装置１００は、内部にＡＥＤを設置した本体２００を有し、本体２００の胴体部・上部の周囲を外側パネル３００で取り囲んである。外側パネル３００により、屋外に設置した際に本体２００が直射日光で直接熱せられるのを防止する。外側パネル３００の正面側は、開閉自在である扉部外側パネル３２０であり、扉部外側パネル３２０の上には、表示用の窓を有する表示部外側パネル３１０を有する。本体２００は、最下部に本体を支える台座部２７０を有し、上部に全体を覆う天板２８０を有する。天板２８０は、内部の詳細な構造の図示は省略しているが、本体上面の上に空気層を挟んで上面外側パネルを設ける２重構造となっている。上面外側パネルは、外側パネル３００の一部を形成する。扉部外側パネル３２０には、ＡＥＤを設置してある高さに外側窓部３２１を設けてあり、本体内部のＡＥＤが外から見える。赤色灯は天板２８０の上に配置されるが図示を省略してある。実施例１は、赤色灯を含まないで約１７５ｃｍ程度の高さであるが、大きさは限定されない。図２は、本発明の実施例１の屋外型ＡＥＤ収納ボックス装置の上面図である。天板２８０の上には、赤色灯を設置するための穴が設けられている。
【００１３】
図３は、本発明の実施例１の屋外型ＡＥＤ収納ボックス装置の右側面図である。本体２００の正面側には、扉部外側パネル３２０と連動して開閉自在である内側扉部２２０を有する。内側扉部２２０の下には、内側下部カバー部２２２を有するが、扉部外側パネル３２０には接続されず、本体に取り付けてある。扉部外側パネル３２０と、内側扉部２２０及び内側下部カバー部２２２との間には、空気を対流させる一定の空間である空気対流層３６０が設けてある。表示部外側パネル３１０の内側には、空気対流層３６０を挟んで表示部２１０を有する。表示部２１０は、内側扉部２２０の上に位置し、ＡＥＤの作動方法等を、ＬＥＤなどを用いた表示部に表示し、表示部外側パネル３１０の窓部から表示が見えるようにしてある。外側パネル３００の背面側は、背面部外側パネル３５０であり、背面部外側パネル３５０と本体背面部２５０との間には空気対流層３６０が設けてある。外側パネル３００の右側面側は、右側面部外側パネル３３０である。右側面部外側パネル３３０は、上部と下部にそれぞれ通気口７４０を有する。
【００１４】
図４は、本発明の実施例１の屋外型ＡＥＤ収納ボックス装置の背面図である。背面部外側パネル３５０の上部、中央部、下部には、通気口７４０を有する。外側パネル３００の左側面側は、左側面部外側パネル３４０である。図示しないが、左側面部外側パネル３４０も、右側面部外側パネル３３０と同様に上部と下部に通気口７４０を有する。表示部外側パネル３１０と扉部外側パネル３２０と右側面部外側パネル３３０と左側面部外側パネル３４０と背面部外側パネル３５０と上面外側パネル（図示省略）とからなる外側パネル３００は、本体２００の各側面部・上部に接続されているが、各側面とも、本体の外側に空気対流層３６０を間に挟んで設けてある。外側パネル３００と台座部２７０との間、及び外側パネルの各面の左右には、それぞれ空気対流用の隙間があり、かかる隙間や、扉側を除く外側パネル各面に設けた通気口７４０を通って、外部の空気を空気対流層３６０中に取り入れ、空気対流層３６０中の空気を外部に排出し、対流層中の空気を対流させる。
【００１５】
図５は、本発明の実施例１の屋外型ＡＥＤ収納ボックス装置の扉部を取り外した状態の正面図である。図５において、内部構造の説明のために、内側扉部２２０と、内側扉部２２０に接続された扉部外側パネル３２０は取り外してある。右側面部外側パネル３３０の内側に本体右側面部２３０、左側面部外側パネル３４０の内側に、空気対流層３６０を挟み本体左側面部２４０があり、本体正面側は、本体前面開口部２６０を有し、内部のＡＥＤ保持具４１０からＡＥＤを出し入れできる。ＡＥＤ保持具４１０の下方には、空気を背面側から取り入れてＡＥＤの正面側から吹き付けるためのダクト７００を有する。内側下部カバー部２２２には、本体下部の空気を排出するとともに空気対流層３６０中の対流を促すための通気口７４０が設けられている。
【００１６】
図６は、本発明の実施例１の屋外型ＡＥＤ収納ボックス装置のＣＣ´線断面図である。矢印は風の流れを示す。外側窓部３２１には、ＡＥＤの有無が確認できるとともに、ＡＥＤ保持具４１０に懸架するＡＥＤが太陽光による温度上昇することを抑制するために、遮熱フィルムが貼ってある。ＡＥＤの有無が確認できるように、内側扉部２２０にも内側窓部２２１が設けてある。本体背面部２５０の内側には、ＡＥＤ保持具４１０の背部に当たる部分に、表示部の表示内容を制御するコントロールボードが設けてある。吸排気手段として、本体２００の下部にはダクト７００が、送風手段として、本体２００の中央部にはダクト７００そして上部には通気口７４０が、それぞれ設けてある。中央部のダクト７００は、背面側の空気対流層３６０から外気を本体内部へ送風するために、本体背面側に、通気口７４０と通気口７４０に設けられ外気を本体内部へ強制吸気するファン７１０と、ファン７１０に付属し外部下方から内部上方へと風を導くグリル（図示省略）とファン７１０に付属するフィルタ７３０が、左右並べて２組設けてあり、ＡＥＤ側に風の吹出口７５０を有する。中央部のダクト７００は、風を背面側からＡＥＤ側に導くために、ファン７１０からＡＥＤ側の送出口までをファン用ダクトカバー７２０で囲われてなる。上部の通気口７４０は、内部上方から外部下方へと風を導くグリル（図示省略）が付属され、内気を本体外部へ自然排気する。下部のダクト７００は、正面側に、通気口７４０と通気口７４０に設けられ内気を本体外部へ強制排気するファン７１０と、ファン７１０に付属し内部下方から外部上方へと風を導くグリル（図示省略）とファン７１０に付属するフィルタ７３０が設けられ、背面側に、外部下方から内部上方へ風を導くグリル（図示省略）を設けて外気を本体内部に自然吸気する通気口７４０が設けてあり、上部は、仕切板５００で本体中央部と仕切られており、下部には、正面側から背面側へ下がる傾斜が付けられ水を外へ流出させる排水用板６００が設けられている。屋外で使用する際に雨水が入り込んでも、排水用板６００により外部へ排出されるので、水が溜まらない。また、本実施例では、図示していないが、本体前面開口部２６０の部分において、内側へ折り返した開口部周縁を有し、開口部周縁に弾力性のあるゴム製パッキンが貼り廻らしてあり、扉を閉めると内部は密閉され気密性が保たれる。したがって、降雨時でも本体内部に水が浸入することを防止でき、防水効果がある。下部のダクト７００内に背面側から取り入れられた空気は、内側下部カバー部２２２の通気口７４０へと強制的に導かれる。また、本体背面部２５０の上部には、通気口７４０が設けてあり、吹出口７５０からＡＥＤ正面に向けて送出された風をＡＥＤの下方から上方へ導くとともに本体内部の空気を背面側から排出する。本実施例によれば、ＡＥＤ表面は、風により冷却されるので、太陽熱による温度上昇が抑制される。本実施例では、本体背面部２５０の上部は通気口７４０であるが、通気口７４０の代わりにファン７１０とフィルタ７３０を設けて、積極的に排気することは、より好ましい。
【００１７】
図７は、本発明の実施例１の屋外型ＡＥＤ収納ボックス装置のＢＢ´線断面図である。本体背面部２５０上部に通気口７４０があり、中央部にフィルタ７３０付きファン７１０が２つ設けられている。中央部のフィルタはファン用ダクトカバー７２０に囲まれた中に位置する。本実施例においてダクトカバー７２０の幅は２９０ｍｍで、高さは１５０ｍｍであるが、これに限定されない。図８は、本発明の実施例１の屋外型ＡＥＤ収納ボックス装置のＡＡ´線断面図である。図８は、中央部のダクト７００の上面が見える位置でカットした断面図である。開閉可能な内側扉部２２０で閉じた本体前面開口部２６０と本体右側面部２３０と本体左側面部２４０と本体背面部２５０とを有する本体２００は、扉側外側パネル３２０と右側面部外側パネル３３０と左側面部外側パネル３４０と背面部外側パネル３５０とを有する外側パネル３００で囲まれるが、本体２００の各面と外側パネル３００の各面との間には、空気対流層３６０があり、外側パネルの各面の間には、空気を対流させるための隙間を有する。空気対流層３６０の厚さは、実施例１では、左側及び右側が２０ｍｍ、正面側及び背面側が３０ｍｍである。図９は、本発明の実施例１の屋外型ＡＥＤ収納ボックス装置のＣＣ´線断面におけるダクト部分拡大図である。ダクト７００に取り込まれた空気は、正面上方側へと導かれ、ＡＥＤ保持具４１０に設置されるＡＥＤの表面を通って上方背面側へ流れる。したがって、屋外で屋外型ＡＥＤ収納ボックス装置が太陽に曝された際、ＡＥＤ表面の温度上昇を抑制する。なお、本実施例においては、図示していないが、ＡＥＤの下面に保温手段として、温度センサーを有するシリコンラバーヒーターが設けてあり、ＡＥＤ下面の温度が１０℃以下になったらスイッチが入りＡＥＤが加温されるしくみになっている。寒冷地の屋外であっても、シリコンラバーヒーターによるヒートアップによってＡＥＤが極度に冷えることを防止できる。
【００１８】
本実施例の屋外型ＡＥＤ収納ボックス装置１００は、左側面右側面及び正面背面の空気対流、下部背面から下部正面への空気対流、及び、中央部背面からＡＥＤ正面側を通って上部背面への空気対流によって、屋外に設置した際に、太陽による放射熱や窓からの直射日光等で内部温度が上昇することを抑制し、ＡＥＤの劣化を防止する。実施例１の屋外型ＡＥＤ収納ボックス装置１００は屋外設置に適する。
【００１９】
｛実験結果｝
上記した本発明の実施例１以外に比較例１を制作し、遮熱効果について測定した。比較例１は、実施例１と同じ大きさで、外側パネルもダクトもファンも通気口もなく、一重の本体壁のみで扉部も１枚扉である密閉されたボックスの中にＡＥＤが収納された屋外型ＡＥＤ収納ボックス装置である。比較例の本体にはＡＥＤが見える窓があるが、窓に遮熱フィルムは貼付されていない。実施例１と比較例１を室温４０℃の実験室内に設置し、ともに同じ条件で疑似太陽光を照射し、各部の温度変化を測定した。
【００２０】
図１０は、温度測定部位を示す概略図である。図１０においては、前面以外の外側パネル等は省略している。また、図１１は、本発明の実施例と比較例の各部における温度測定結果を示す図である。図１０中で、丸で囲んだ１、すなわち１番と示した個所で測定した結果は、図１１〜図１３において、ＡＥＤ上、と表記してあり、同様に、２番ではＡＥＤ正面、３番では扉外、４番では遮光板、８番では室温、と表記してある。実施例１の屋外型ＡＥＤ収納ボックス装置で測定した結果は、図１１〜図１３において、屋外型、比較例１の結果は屋内型、と表記してある。図１１〜図１３において、横軸は疑似太陽光照射時間を、縦軸は測定箇所の温度を示す。各空気対流の効果を明確に示すため、便宜上、実施例１において、照射開始後０分〜４５分は全てのファンを停止して測定し、４５分〜７８分は下部のファンを稼働させて測定し、７８分〜１１１分は下部と中央部のファンを稼働させて測定した。図１１において、照射開始後４５分過ぎ及び７８分過ぎに、実施例１のデータで急激な変化がある部分は、条件変更の作業のためである。
【００２１】
図１２は、本発明の実施例と比較例のＡＥＤ正面部分の温度測定結果を示す図である。二重構造になっておらずファンもない比較例１（屋内型）は、ＡＥＤ正面の温度は、照射開始後上昇し、６０℃を超える高温となる。そのため、ＡＥＤが高温状態になり、故障や劣化を引き起こすおそれが高くなり、いざ使用しようとした際に正しく作動せず、正しく作動すれば救えた患者の命が救えなくなる危険性がある。それに対し、実施例１（屋外型）では、温度上昇は緩やかで、比較例１において６０℃を超えた時点でも４２℃程度であった。照射開始後０分〜４５分のデータから、比較例１に対し実施例１は、２重構造による空気対流のため温度上昇が緩和されることが分かる。比較例１ではその後も緩やかながら温度上昇し続け、６５℃を超える。しかし、照射開始後４５分〜７８分のデータ及び７８分〜１１１分のデータから、比較例１に対し実施例１は、ファンによる空気対流のため、温度上昇は抑制され、下部のファンだけでも４５℃以下とすることができ、飛躍的に温度上昇抑制効果があることが分かった。さらに実施例１では、中央部のファンも稼働するので、さらに温度が１、２℃下がり、実施例１では、温度上昇が効率よく抑制されていることが分かった。１重構造でファンも遮熱フィルムもない比較例１では太陽光に曝されると内部の温度上昇が激しく、ＡＥＤに大きな悪影響を与えるおそれがあるが、実施例１では、２重構造による空気対流に下部及び中央部のファンによる空気対流を組み合わせ、また外側パネルの窓部に遮熱フィルムを貼付することで、太陽光に曝される屋外においても、屋外型ＡＥＤ収納ボックス装置内のＡＥＤ正面の温度を、周囲の温度とほぼ変わらないレベルに保つことができることが分かった。図１３は、本発明の実施例と比較例の屋外型ＡＥＤ収納ボックス装置外側の温度測定結果を示す図である。図１３において、比較例１では１重構造であるので、扉外のデータが装置全体の外側温度であり、実施例１では、遮光板のデータが、外側パネルの外側、すなわち装置全体の外側温度である。１重構造でも２重構造でも装置全体の外側温度は６０℃まで上昇するが、実施例１では、ファンによる空気対流により、装置全体の外側温度も５℃程度下がっていることが分かった。なお、図１１の、実施例１の２重構造の内側部分のデータ、すなわち、屋外型の扉外データから、実施例１においては、本体外側温度は、２重構造であることにより、４６℃程度に温度上昇が抑制され、さらにファンがあることにより、温度上昇は、室温と２℃程度の差に抑えられていることが分かった。
【００２２】
本発明の実施例１によれば、外側パネルで遮光及び遮熱をすることによって太陽光による放射熱が直接本体に伝わることを防止し、また、本体に設けた１又は複数の排気手段によって本体内部の熱を逃がし、２重構造の間にある空気対流層によって熱気の対流を起こして本体内部の温度上昇を抑制することができる。これらの相乗効果により、ＡＥＤを収納するボックス内部の温度が過度に上昇することを防止し、屋外設置に適する屋外型ＡＥＤ収納ボックス装置を実現することができる。本発明の実施例１によれば、外側パネルと本体にはＡＥＤを外部から視認できる窓部を設けつつ、そこから入り込む放射熱や太陽の直射日光を外側パネルの窓部に設けた遮熱フィルムで遮断することによって、ＡＥＤの視認性を損なわずにＡＥＤの温度上昇を防止できる。なお、本実施例によれば、外側パネルと本体との間に隙間があるために本体の正面側下方にあるダクトの開口部より本体内部に入り込むおそれがある雨水や雪は、排水手段により排出されるため、風雨や雪に曝されても本体内部に水がたまることがなく、屋外設置に適する。
【００２３】
なお、本発明は、上記実施の形態に限定されず、その発明の趣旨を逸脱しない範囲で種々と変形実施が可能である。また、上記各実施の形態の構成要素を発明の趣旨を逸脱しない範囲で任意に組み合わせることができる。例えば、上述した本実施例においては、直方体の屋外型ＡＥＤ収納ボックス装置であるが、二重壁構造であれば、筒状でもよく、形状を問わない。
【符号の説明】
【００２４】
１００    屋外型ＡＥＤ収納ボックス装置
２００    本体
２１０    表示部
２１１    コントロールボード
２２０    内側扉部
２２１    内側窓部
２２２    内側下部カバー部
２３０    本体右側面部
２４０    本体左側面部
２５０    本体背面部
２６０    本体前面開口部
２７０    台座部
２８０    天板
３００    外側パネル
３１０    表示部外側パネル
３２０    扉部外側パネル
３２１    外側窓部
３３０    右側面部外側パネル
３４０    左側面部外側パネル
３５０    背面部外側パネル
３６０    空気対流層
４１０    ＡＥＤ保持具
５００    仕切板
６００    排水用板
７００    ダクト
７１０    ファン
７２０    ファン用ダクトカバー
７３０    フィルタ
７４０    通気口
７５０    吹出口
【図１】
2012005661.tif 000003
【図２】
2012005661.tif 000004
【図３】
2012005661.tif 000005
【図４】
2012005661.tif 000006
【図５】
2012005661.tif 000007
【図６】
2012005661.tif 000008
【図７】
2012005661.tif 000009
【図９】
2012005661.tif 000010
【図１０】
2012005661.tif 000011
【図８】
2012005661.tif 000012
【図１１】
2012005661.tif 000013
【図１２】
2012005661.tif 000014
【図１３】
2012005661.tif 000015